(57)【要約】【課題】商品を手に取り見比べて選ぶことができるとともに、万引きを防止することができる自動販売システムを提供する。【解決手段】テーブル１や棚２に枠３等で仕切った区画４を設け商品６を並べる。各区画４にはそれぞれに検知装置５を配置し商品６を置く。検知装置５は買物客が商品６を手に取った（買物籠に入れた）あるいは戻したことを検知し制御装置１２に伝える。さらに会計装置（レジ）７に伝えられて金額が計算、表示される。買物客はその金額を支払えば良い。商品６を手に取った時点で金額が計算されているため、隠して持ち出す意味は無く万引き防止になる。出入口１３にはゲート１４を設け、買物客の出入に合わせて案内を流す。もし、代金を払わずに出ようとする買物客がいた場合には警報装置１５が光や音で警告を発する。【選択図】  図１
0003166896.tif 000002
【実用新案登録請求の範囲】
【請求項１】
テーブル・棚等を区画に仕切って商品陳列場所とし、各区画に検知装置を配置して買物客が商品を手に取ったあるいは戻したことを検知し、その信号を受けて自動的に金額を計算、表示する方式の自動販売システム
【考案の詳細な説明】
【技術分野】
【０００１】
この考案は無人販売の店舗における販売、会計処理を行う装置に関するものである。
【背景技術】
【０００２】
無人販売を行っている店舗には各種の自動販売機を並べたものが多くある。
自動販売機では大きさ・形がそろった商品を売るものが多いが、中にはそろっていないものを扱う販売機もある。例えば特許文献１には商品を個別の陳列棚に陳列し、代金を投入し扉を開けて取り出すようにした自動販売機（以下、ロッカー式自動販売機という）における商品の保存について述べている。
このような販売機では扉（窓）から商品を見ることはできるが、手に取って選ぶことはできない。
【０００３】
一般の商店やスーパーマーケットでは商品を手に取って選ぶことができるが、窃盗（万引き）が大きな社会問題になっており、それを防止する技術が数多く開発されている。その例として特許文献２では商品に無線タグをつけて出入口のゲートでチェックする方法が、特許文献３では売り場内の監視区域に買い物客が入ったことを検知すると光や音で注意を呼びかけて万引きを防止する方法が述べられている。
【先行技術文献】
【特許文献】
【０００４】
【特許文献１】特許公開  平８−３０８４９  換気機構を備えた自動販売機及びその内部における商品の保存方法
【特許文献２】特許公開  ２００１−３０７２４１  盗難防止ゲート及び光電センサー
【特許文献３】実用新案登録  第３０７０２８８号  万引き防止システム
【考案の概要】
【考案が解決しようとする課題】
【０００５】
無人の農産物直売所では代金を箱に入れて支払うところが多くあるが、買物客の善意に依っている部分が大きい。
【０００６】
ロッカー式自動販売機では商品を扉（窓）から見ることはできるが、手に取って選ぶことはできない。
【０００７】
一般の商店やスーパーマーケットでは、商品を手に取って見比べて選ぶのが普通である。そこで実際に手に取って選ぶことができるとともに代金を自動的に計算し、尚且つ万引きの起こらない無人販売システムを提供する。
【課題を解決するための手段】
【０００８】
テーブルや棚に枠で仕切った区画を設け商品を並べる。各区画にはそれぞれに検知装置を付ける。検知装置は買物客が商品を手に取った（買物籠に入れた）あるいは戻したことを検知する。
【０００９】
検知した信号は制御装置を通して会計装置（レジ）に伝えられ代金が計算、表示される。買物客はその金額を支払えば良い。
商品を手に取った時点で金額が計算されているため隠して持ち出す意味は無く、万引きの防止につながる。
【００１０】
出入口にはゲートを設け買物客の出入りを検知する。通常は店舗案内等を流すが、代金を払わないで出ようとする買物客がいた場合には光や音で警告を発する。
【考案の効果】
【００１１】
従来のロッカー式自動販売機等では商品を手に取ることが出来なかった。そのため買った後で他のほうが良かったとなることがある。
本考案では手に取って見比べて選ぶことができるため、そのようなことはない。
【００１２】
商品を手に取った段階で金額の計算を行っているので、商品を隠して持ち出す意味はない。そのため万引き防止につながる。
【００１３】
本考案の無人販売システムは野菜などに限らず、他の商品の販売にも利用できる。
【図面の簡単な説明】
【００１４】
【図１】無人販売システムの全体的な構成を示す図
【図２】制御の構成を表す図
【図３】テーブルの構成を示す図
【図４】棚の構成を示す図
【考案を実施するための形態】
【００１５】
図１に本考案の店舗の例を、図２にその制御の構成を示す。
店舗は商品６を陳列するために区画４に仕切られたテーブル１・棚２、各区画４に付けられ商品６の有無を検知する検知装置５、テーブル１の上方や棚２の前面で人（手）１０を検知する光電センサー８と商品説明等を流す音声装置１１、出入口１３、ゲート１４及び警報装置１５、代金の計算・表示及び精算を行う会計装置（レジ）７、全体を統括する制御装置１２によって構成される。
【００１６】
商品６はテーブル１あるいは棚２に陳列する。図３はテーブル、図４は棚についての構成を示す。
テーブル１は枠３等で仕切った区画４を設け商品６を陳列する。各区画４にはそれぞれに検知装置５を付けその上に商品６を置く。棚２の場合も区画４に分け、それぞれに検知装置５を付け商品６を置く。検知装置５には重量センサー、マイクロスイッチ等を用いる。
検知装置５はそれぞれの区画４における商品６の有無を検知し制御装置１２に伝える。商品６が「有り」から「無し」に変わったときには買物客が商品６を手に取った（買物籠に入れた）と判断し、「無し」から「有り」に変わったときには商品６を戻したと判断する。
テーブル１・棚２の数は店舗の規模、商品の種類、個数、金額等に合わせて設置する。
【００１７】
商品６を手に取ったときあるいは戻したとき検知装置の信号は制御装置１２を通して会計装置（レジ）７に伝えられる。会計装置（レジ）７にはあらかじめ商品の種類、価格、陳列場所等の情報が記憶されており、代金が計算、表示される。
買物客はレジ７でその金額を支払えば良い。
【００１８】
商品６にＩＣタグ、バーコードシール等を付け各区画に読取装置を配置すれば、商品が異なる場所に戻された場合でも種類、金額を識別し正しく計算することができる。
【００１９】
テーブル１の上方や棚２の前面には光電センサー８を配置する。買物客が商品６を手に取ろうとして光を遮った時にそれを検知し商品６の説明等を音声装置１１から流す。
【００２０】
出入口１３は店舗の規模に応じて設置する。
出入口１３にはゲート１４を設け、通常は買物客の出入を検知し店舗案内などを流す。代金を払わないで出ようとする買物客がいた場合には警報装置１５が光や音で警告を発する。
【符号の説明】
【００２１】
１…テーブル
２…棚
３…枠
４…区画
５…検知装置
６…商品
７…会計装置（レジ）
８…光電センサー
９…光電センサーの光
１０…人体（手）
１１…音声装置
１２…制御装置
１３…出入口
１４…ゲート
１５…警報装置
【図１】
0003166896.tif 000003
【図２】
0003166896.tif 000004
【図３】
0003166896.tif 000005
【図４】
0003166896.tif 000006
【手続補正書】
【提出日】平成23年1月24日(2011.1.24)
【手続補正１】
【補正対象書類名】実用新案登録請求の範囲
【補正対象項目名】全文
【補正方法】変更
【補正の内容】
【実用新案登録請求の範囲】
【請求項１】
テーブル・棚等を区画に区切って商品陳列場所とし、
テーブルの上方や棚の前面に買物客の手がテーブルや棚に伸びたことを検知する光電センサ等と、各区画には商品を買物客が手に取ったかどうかを検出する重量センサ、マイクロスイッチ等の検知装置を取り付け、
検知装置の検出結果から買物客が商品を購入したことを判断し購入金額を計算するシーケンスコントローラ等の制御装置と、
制御装置の制御により金額を表示する７セグメントＬＥＤ、液晶等の表示装置と
買物客が投入した代金を数え、釣銭を返却する機能を備えた硬貨選別機、紙幣選別機等の会計装置から構成される自動販売システム。
【請求項２】
請求項１のシステムにおいて出入口に買物客を検知するゲートを設置し、前記検知装置とともに、買物客の出入りや商品を手に取るといった動作に合わせて商品説明や案内を流す音声装置を付けた自動販売システム。
【請求項３】
請求項２のシステムにおいて、警報装置を設けて商品を取ったが支払をしないで店から出ようとする買物客がいた場合、ゲートで検知して制御装置が警報装置、音声装置に警告や音声を発生させる自動販売システム。
【手続補正２】
【補正対象書類名】明細書
【補正対象項目名】００１６
【補正方法】変更
【補正の内容】
【００１６】
商品６はテーブル１あるいは棚２に陳列する。図３はテーブル、図４は棚についての構成を示す。
テーブル１は枠３等で仕切った区画４を設け商品６を陳列する。各区画４にはそれぞれに検知装置５を付けその上に商品６を置く。棚２の場合も区画４に分け、それぞれに検知装置５を付け商品６を置く。検知装置５には重量センサ、マイクロスイッチ等を用いる。
検知装置５それぞれの区画４における商品６の有無を検知し制御装置１２に伝える。テーブルの上、棚の前面に付けられた光電センサ８によって買物客の手が近づいたことを検知した後、商品６が「有り」から「無し」に変わったときには買物客が商品６を手に取った（買物籠に入れた）と判断し、「無し」から「有り」に変わったときには商品６を戻したと判断する。
テーブル１・棚２の数は店舗の規模、商品の種類、個数、金額等に合わせて設置する。
【手続補正３】
【補正対象書類名】明細書
【補正対象項目名】００１９
【補正方法】変更
【補正の内容】
【００１９】
テーブル１の上方や棚２の前面に付けられた光電センサ８や各区画の検知装置５によって、買物客が商品６を手に取ろうとして光を遮った時あるいは取った時にそれを検知し商品６の説明等を音声装置１１から流す。